(57)【要約】【課題】駆動端の直線運動を受動端の往復式回転運動に転換する電動歯ブラシ回転ヘッドの連動装置の提供。【解決手段】電動歯ブラシ回転ヘッドの連動装置は、主にＺ字型連桿をハンドル本体とブラシ盤の動力連結とし、連桿の一端は横軸で別端は立軸とする。横軸は挟持カバーに枢設してハンドル本体の連動軸桿を接続し、立軸はブラシ盤の偏心の立軸孔上に接続し、ハンドル本体の連動軸桿の直線運動をブラシ盤に於いて往復式回転運動に転換する。【選択図】図３
0003124430.tif 000002
【実用新案登録請求の範囲】
【請求項１】
主にヘッド本体、蓋から構成される連動装置の機関部を含む電動歯ブラシ回転ヘッドの連動装置において、  
ヘッド本体前端に軸孔を具え、連動装置の動態部品は、ブラシ盤及びブラシ盤の軸心に差し込む回転軸、後退止めリング、連桿、挟持カバー及びバネ等を含み、ブラシ盤の偏心位置には立軸孔を具え、挟持カバーは筒状で、その開口は下向きで、上端には横軸孔を設置し、連桿はＺ字型の一端は横軸で別端は立軸であり、この横軸は挟持カバーの横軸孔に被せ、立軸はブラシ盤の立軸孔に枢設し、挟持カバーの直線運動をブラシ盤まで伝達して往復式回転運動をすることを特徴とする電動歯ブラシ回転ヘッドの連動装置。
【請求項２】
請求項１記載の電動歯ブラシ回転ヘッドの連動装置において、前記連桿は、Ｚ字型の一端は横軸で、別端は立軸で、横軸と立軸の桿体は螺旋体で、桿体は弾性を具えることを特徴とする電動歯ブラシ回転ヘッドの連動装置。
【考案の詳細な説明】
【技術分野】
【０００１】
本考案は、電動歯ブラシ回転ヘッドの連動装置に関するもので、電動歯ブラシのブラシヘッド内部に設置し、ハンドル本体の動力源を連動構造に伝える。このハンドル本体の駆動端である連動軸桿は、軸向きに直線運動し、ブラシヘッドのブラシ盤の受動端は往復式回転運動する。駆動端の直線運動を受動端の回転運動に転換する連動装置である。
【背景技術】
【０００２】
電動歯ブラシ回転ヘッドの連動装置は、電動歯ブラシのヘッドの形状及びハンドル本体の駆動端の動きに対応して作成された連動機構である。ブラシ盤式歯ブラシは、円盤型ブラシ盤の下端にブラシを植毛し、ブラシ盤の回転によって歯を磨く。一般のハンドル本体の駆動端は回転式の作動であるため、駆動端と受動端を連結した連動装置は横向の回転動作が縦向きの回転動作に転換する。更に通常、構造を使いやすくするため、ヘッド本体とハンドル本体は通常同軸方向の直線型に設置する。
【考案の開示】
【考案が解決しようとする課題】
【０００３】
本考案は、主にＺ字型連桿をハンドル本体とブラシ盤の動力連結とし、連桿の一端は横軸で別端は立軸とする。横軸は挟持カバーに枢設してハンドル本体の連動軸桿を接続し、立軸はブラシ盤の偏心の立軸孔上に接続し、ハンドル本体の連動軸桿の直線運動をブラシ盤に於いて往復式回転運動に転換する。
【課題を解決するための手段】
【０００４】
請求項１の考案は、主にヘッド本体、蓋から構成される連動装置の機関部を含む電動歯ブラシ回転ヘッドの連動装置において、    
ヘッド本体前端に軸孔を具え、連動装置の動態部品は、ブラシ盤及びブラシ盤の軸心に差し込む回転軸、後退止めリング、連桿、挟持カバー及びバネ等を含み、ブラシ盤の偏心位置には立軸孔を具え、挟持カバーは筒状で、その開口は下向きで、上端には横軸孔を設置し、連桿はＺ字型の一端は横軸で別端は立軸であり、この横軸は挟持カバーの横軸孔に被せ、立軸はブラシ盤の立軸孔に枢設し、挟持カバーの直線運動をブラシ盤まで伝達して往復式回転運動をすることを特徴とする電動歯ブラシ回転ヘッドの連動装置としている。
請求項２の考案は、請求項１記載の電動歯ブラシ回転ヘッドの連動装置において、前記連桿は、Ｚ字型の一端は横軸で、別端は立軸で、横軸と立軸の桿体は螺旋体で、桿体は弾性を具えることを特徴とする電動歯ブラシ回転ヘッドの連動装置としている。
【考案の効果】
【０００５】
本考案の電動歯ブラシ回転ヘッドの連動装置は、湾曲に適したブラシヘッドを設置する。様々なブラシヘッド形状にデザインしやすい以外に電動歯ブラシが快適に使用できるという利点がある。
【考案を実施するための最良の形態】
【０００６】
電動歯ブラシは、図１に示すとおり、主にブラシヘッド１とハンドル本体２の両部分を含む。ハンドル本体２の内部には、電池、モータ及び操作制御のスイッチ等動力出力の部分が設置され、その出力端は図に示すとおり、ハンドル本体２外の連動軸桿２１に突出する。ブラシヘッド１の部分は、ハンドル本体２に簡単に設置された独立体で、ブラシヘッド１の末端にはブラシを設置したブラシ盤１３が設置される。ブラシヘッド１はハンドル本体２に嵌合した後、その動力構造部の駆動を受けてブラシ盤１３が作動する。
【０００７】
本考案の電動歯ブラシ回転ヘッドの連動装置は、図２の連動装置の立体分解図に示す。その静態部品は、ブラシヘッド１のヘッド本体１１、蓋１２から構成された連動装置の設置空間を含み、そのうちヘッド本体１１前端にブラシ盤１３が配置され、設置した構造は、ブラシヘッド１主軸線方向と交錯する軸孔１１３を含む。連動装置の動態部品は、ブラシ盤１３及びブラシ盤軸心を差し込んで固定する回転軸１３１、後退止めリング１７、連桿１６、挟持カバー１４、バネを含む。
【０００８】
上述の連動装置の構造及びその構成は、図３の連動装置連動状態表示図に示す。そのうち、ブラシヘッドのヘッド本体１１内部は、前後を貫く機関部１１１であり、その機関部１１１は、連動装置の主要動態の設置空間となる。鈎層１１２は、機関部と同じ方向に成形され、ブラシヘッド１前端には径方向の軸孔１１３があり、動態部品のブラシ盤１３上には回転軸１３１が固定され、ブラシ盤１３の偏心位置には立軸孔１３２を具え、回転軸１３１末端に後退止めリング１７を被せる。挟持カバー１４は筒状で、その軸方向カバー孔１４１の開口は下向きで、挟持カバー１４最上端には軸方向に突出した後退止め鈎１４５が設置される。挟持カバー１４上端には左右に貫通する横軸孔１４２が設置され、挟持カバー１４底端は凸縁１４４で、その挟持カバー１４底端には横向に貫通する弾性槽１４６が設置されてカバー孔１４１はやや引き合う弾性を具える。挟持カバー１４外カバーにはバネ１５を被せ、連桿１６はＺ字型で、その底端は横軸１６１で、挟持カバー１４の横軸孔１４２に被さって滑動し、その先端は立軸１６２で、ブラシ盤１３の立軸孔１３２上に被せて滑動する。
【０００９】
この連動装置を組み立てた構造は、図４の電動歯ブラシ回転ブラシヘッドの連動装置構造断面図に示す。ブラシヘッドのヘッド本体１１と蓋１２が内部中空の機関部１１１を構成する。この機関部１１１の下段(開口端)は挟持カバー１４が滑動する部位で、挟持カバー１４の軸方向カバー孔１４１は開口が下向きで、カバー孔１４１内には一対の内凸１４３が設置され、その内凸にハンドル本体の連動軸桿２１が相対し、連動軸桿２１上端には環周囲に凹んだ凸槽２１１が内凸１４３と嵌合し、連動軸桿２１で挟持カバー１４を動かして軸方向に直線運動する。挟持カバー１４最上端の後退止め鈎１４５はヘッド本体１１の鈎槽１１２内に掛合され、挟持カバー１４が外れないように防止する。挟持カバー１４外カバーのバネ１５は、その底部は、挟持カバー１４の凸縁１４４で支え、その最上部は機関部１１１の一壁面で支え挟持カバー１４が下に向かって始点へ戻るのを助ける。ブラシ盤１３はブラシヘッド１の外に設置し、その回転軸１３１はブラシヘッドの軸孔１１３に差込み、その末端を後退止めリング１７に被せ、ブラシヘッドを回転させる動作に使われ、連桿１６の横軸１６１は、挟持カバー１４の横軸孔１４２に差込み、その最上端の立軸１６２をブラシ盤１３の立軸孔(図未提示)上に入れ、駆動端の連動軸桿２１を軸方向に直接運動させて受動端であるブラシ盤１３へ導き、往復式回転運動を行う。
【００１０】
上述の連動装置の連桿構造は、湾曲度の小さいブラシヘッドの動力伝達を提供し、本考案では別にやや異なる連桿１６Ａを提供する。図４の連動装置の連桿構造に示すとおり、連桿１６Ａは同じく前後端の横軸１６１Ａと立軸１６２Ａを具え、横軸１６１Ａと立軸１６２Ａの間の桿体１６３Ａは螺旋状で、弾性を具えた連桿で、大きく湾曲するブラシヘッド構造である。
【００１１】
本考案はＺ字型連桿をハンドル本体の駆動端とブラシ盤の受動端で繋ぎ、駆動端の軸向き直線運動を受動端の往復式回転運動に転換する。更に湾曲に適したブラシヘッドを設置する。様々なブラシヘッド形状にデザインしやすい以外に電動歯ブラシが快適に使用できる。
【図面の簡単な説明】
【００１２】
【図１】本考案電動歯ブラシの回転ヘッドとハンドル本体の関係表示図である。
【図２】本考案の電動歯ブラシ回転ヘッドの連動装置立体分解図である。
【図３】本考案の電動歯ブラシ回転ヘッドの連動装置の連動状態表示図である。
【図４】本考案の電動歯ブラシ回転ヘッドの連動装置の構造断面図である。
【図５】本考案の電動歯ブラシ回転ヘッドの連動装置の連桿構造別例図である。
【符号の説明】
【００１３】
１０        ブラシヘッド
１１        ヘッド本体
１１１        機関部
１１２        鈎槽
１１３        軸孔
１２        蓋
１３        ブラシ盤
１３１        回転軸
１３２        立軸孔
１４        挟持カバー
１４１        カバー孔
１４２        横軸孔
１４３        内凸
１４４        凸縁
１４５        後退止め鈎
１４６        弾性槽
１５        バネ
１６        連桿
１６Ａ      連桿
１６１        横軸
１６１Ａ      横軸
１６２        立軸
１６２Ａ      立軸
１６３Ａ      桿体
１７        後退止めリング
２        ハンドル本体
２１        連動軸桿
【図１】
0003124430.tif 000003
【図２】
0003124430.tif 000004
【図３】
0003124430.tif 000005
【図４】
0003124430.tif 000006
【図５】
0003124430.tif 000007